(57)【特許請求の範囲】
【請求項１】
股間部より前側に延在する腹側部及び股間部より後側に延在する背側部を有し、
腹側部と背側部とが環状の胴回り部をなすように予めまたは使用時に一体化されて、胴回り開口および左右一対の脚周り開口が形成される、使い捨ておむつにおいて、
前記腹側部及び背側部の少なくとも一方の胴回り部構成部分は、幅方向中央部に位置するとともに前記股間部に連なる第１の部分がその両側の第２の部分に対して分離せずに縦方向にスライド可能なように構成された、
ことを特徴とする使い捨ておむつ。
【請求項２】
前記第１の部分の幅方向両側部に、前記胴回り開口から前記脚周り開口まで縦断するレール部材が設けられ、
前記第２の部分の幅方向中央部の側部に、前記レール部材に咬み合い且つ前記レール部材の延在方向に移動可能な咬合部が設けられており、
前記第１の部分の幅方向両側部と前記第２の部分の幅方向中央側の側部とが重なり、前記レール部に前記咬合部が咬み合わさることにより、前記第１の部分がその両側の第２の部分に対して分離せずに縦方向にスライド可能なように構成されている、請求項１記載の使い捨ておむつ。
【請求項３】
前記第１の部分における前記第２の部分との重なり部、及び前記第２の部分における前記第１の部分との重なり部とが着脱可能に固定される固定手段が設けられた、請求項２記載の使い捨ておむつ。
【請求項４】
前記第１の部分の外側に第２の部分が重なるように構成されるとともに、前記固定手段が、前記レール部材及び咬合部よりも幅方向外側に設けられている、請求項３記載の使い捨ておむつ。
【請求項５】
前記レール部材は前記第１の部分に着脱可能な係止手段により固定されており、前記係止手段の剥離により、前記レール部材と前記第２の部分とが前記第１の部分から分離されるように構成された、請求項４記載の使い捨ておむつ。  
【発明の詳細な説明】
【技術分野】
【０００１】
本発明は、内装する吸収パッドの交換が容易な使い捨ておむつに関する発明である。
【背景技術】
【０００２】
例えば、成人向けおむつは、パンツタイプ、テープタイプのものが知られるが、廃棄物の削減や経済性等を考慮して、何れも内部に吸収パッドを装着して使用されるのが一般的である。
吸収パッドの交換の際に、テープタイプ使い捨ておむつにおいては、テープをはがしておむつを展開させる必要があり、また、パンツタイプ使い捨ておむつにおいても、少なくともおむつを膝あたりまで下ろす必要があり、その作業は煩雑である。特にパンツタイプ使い捨ておむつは、介護者ではなく着用者自身が吸収パッドの交換をする場合が多いところ、おむつをずりおろして吸収パッドの交換を行う操作は、着用者が腰をかがめる等の無理な姿勢を取らなければならない、という問題があった。
一方、予めパンツタイプ使い捨ておむつのように形成されているもののテープタイプ使い捨ておむつのように展開可能なおむつも知られており、このおむつは、テープタイプ使い捨ておむつのように展開できるため介護者が吸収パッド及びおむつ本体の交換をしやすい、という利点を有するが、着用者自身が吸収パッドの交換をする場合には、前述のパンツタイプ使い捨ておむつと同様に理由により吸収パッドが交換しづらい、という問題を依然として有するものである。
【先行技術文献】
【特許文献】
【０００３】
【特許文献１】特開２００６−２０４６８８号公報
【発明の概要】
【発明が解決しようとする課題】
【０００４】
本発明の主たる課題は、使い捨ておむつの内面に敷いた吸収パッドの交換をより容易にすることである。
【課題を解決するための手段】
【０００５】
上記課題を解決した本発明は次記の通りである。
＜請求項１記載の発明＞
股間部より前側に延在する腹側部及び股間部より後側に延在する背側部を有し、
腹側部と背側部とが環状の胴回り部をなすように予めまたは使用時に一体化されて、胴回り開口および左右一対の脚周り開口が形成される、使い捨ておむつにおいて、
前記腹側部及び背側部の少なくとも一方の胴回り部構成部分は、幅方向中央部に位置するとともに前記股間部に連なる第１の部分がその両側の第２の部分に対して分離せずに縦方向にスライド可能なように構成された、
ことを特徴とする使い捨ておむつ。
【０００６】
（作用効果）
本発明に係る使い捨ておむつは、着用状態で腹側部の中央部分とそれに連なる内装体を備えた股間部を下方にスライドすることが可能な構成となっている。腹側中央部をスライド下降させることで、脚周り開口が広がるため、脚周りに隙間が生じ、当該隙間を介して、吸収パッドの交換を行うことが可能となる。
【０００７】
＜請求項２記載の発明＞
前記第１の部分の幅方向両側部に、前記胴回り開口から前記脚周り開口まで縦断するレール部材が設けられ、
前記第２の部分の幅方向中央部の側部に、前記レール部材に咬み合い且つ前記レール部材の延在方向に移動可能な咬合部が設けられており、
前記第１の部分の幅方向両側部と前記第２の部分の幅方向中央側の側部とが重なり、前記レール部に前記咬合部が咬み合わさることにより、前記第１の部分がその両側の第２の部分に対して分離せずに縦方向にスライド可能なように構成されている、請求項１記載の使い捨ておむつ。
【０００８】
（作用効果）
スライド部分をレール部材及びそれと咬み合う部材とすることで、腹側中央部を上下両方向にスライド移動させることが可能であり、またスライド移動を複数回繰り返すことが可能となる。
【０００９】
＜請求項３記載の発明＞
前記第１の部分における前記第２の部分との重なり部、及び前記第２の部分における前記第１の部分との重なり部とが着脱可能に固定される固定手段が設けられた、請求項２記載の使い捨ておむつ。
【００１０】
（作用効果）
着用時の予期せぬずり落ちや、腹側中央部と側部の完全な分離を避けるため、レール部材上下端の近傍に着脱可能な固定手段を設け、スライド移動を要しない時にはレール部材を固定できる構成とした。
【００１１】
＜請求項４記載の発明＞
前記第１の部分の外側に第２の部分が重なるように構成されるとともに、前記固定手段が、前記レール部材及び咬合部よりも幅方向外側に設けられている、請求項３記載の使い捨ておむつ。
【００１２】
（作用効果）
腹側両側部（第２の部分）を腹側中央部（第１の部分）の外側に配することで、腹側中央部を腹側両側部が外側から押さえ、より安定した形態となる。また、レール部材の固定手段をレール部材より幅方向外側に配することにより、腹側両側部の中央側端部のめくれ等により外れにくく、より安定した固定が可能である。
【００１３】
＜請求項５記載の発明＞
前記レール部材は前記第１の部分に着脱可能な係止手段により固定されており、前記係止手段の剥離により、前記レール部材と前記第２の部分とが前記第１の部分から分離されるように構成された、請求項４記載の使い捨ておむつ。
【００１４】
（作用効果）
レール部、咬合部とは別に、腹側の両側部と中央部とを着脱可能に固定する係止手段を有し、当該係止部分を剥離することによって、おむつを展開状態とすることができるようにした。
【発明の効果】
【００１５】
本発明によれば、吸収パッド交換時に腹側中央部から股間部を下方にスライド移動させることによって、着用状態のまま脚周り開口部を介して吸収パッドを交換することができる。このような構成とすることで、吸収パッド交換時におむつを展開状態にしたり、膝辺りまで下ろすことなく簡便に吸収パッドを交換することが可能となる。
【図面の簡単な説明】
【００１６】
【図１】展開状態のパンツタイプ使い捨ておむつの平面図（内面側）である。
【図２】図１より弾性部材を省略した平面図である。
【図３】展開状態のパンツタイプ使い捨ておむつの平面図（外側）である。
【図４】図１のＣ−Ｃ矢視図である。
【図５】図１のＡ−Ａ矢視図である。
【図６】図１のＢ−Ｂ矢視図である。
【図７】パンツタイプ使い捨ておむつの装着状態の斜視図である。
【図８】腹側中央部を下方向にスライド移動させた状態のパンツ型使い捨ておむつの斜視図である。
【図９】スライド部の構造を示す平面図である。
【図１０】スライド部の断面図である。（Ａ）凹状レールを有するスライド部、（Ｂ）凸状レールを有するスライド部。
【図１１】図３のＤ−Ｄ矢視図である。
【図１２】本発明に係るテープ式使い捨ておむつの例を示す斜視図である。
【発明を実施するための形態】
【００１７】
以下、本発明の一実施形態について、添付図面を参照しつつ詳説する。
図１〜図８は実施形態の一例としてパンツ式使い捨ておむつ１を示している。パンツ式の使い捨ておむつ１（以下、単におむつともいう。）は、背側Ｂから腹側Ｆの中央部にまで達する外装シート２０Ａと腹側両側部の一対の外装シート２０Ｂとを有し、この外装シート２０Ａ，２０Ｂの内面に固定され一体化された内装体１０を有しており、内装体１０は液透過性表面シート１１と液不透過性裏面側シート１２との間に吸収体１３が介在されてなるものである。製造に際しては、外装シート２０Ａ，２０Ｂが一体化された状態で外装シート２０Ａの内面（上面）に対して内装体１０の裏面がホットメルト接着剤Ｇなどの接合手段によって固定された後に、内装体１０および外装シート２０が腹側部Ｆ及び背側部Ｂの境界である縦方向（前後方向）中央で折り畳まれ、その両側部が相互に熱溶着またはホットメルト接着剤などによって接合されることによって、ウエスト開口部及び左右一対のレッグ開口部が形成されたパンツタイプ使い捨ておむつとなる。なお、本発明におけるおむつの製造方法は上記記載の方法に限定されるものではない。
【００１８】
（吸収性本体の構造例）
吸収性本体１０は、図５及び図６に示すように、不織布などからなる液透過性表面シート１１と、ポリエチレン等からなる液不透過性裏面側シート１２との間に、吸収体１３を介在させた構造を有しており、表面シート１１を透過した排泄液を吸収保持するものである。
【００１９】
吸収体１３の表面側（肌当接面側）を覆う液透過性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性表面シート１１に多数の透孔を形成した場合には、尿などが速やかに吸収されるようになり、ドライタッチ性に優れたものとなる。液透過性表面シート１１は、吸収体１３の側縁部を巻き込んで吸収体１３の裏面側まで延在している。
【００２０】
吸収体１３の裏面側（非肌当接面側）を覆う液不透過性裏面側シート１２は、ポリエチレンまたはポリプロピレンなどの液不透過性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。
【００２１】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができ、図示例では平面形状を略方形状として成形されたものが使用され、その幅寸法は股間部への当たりによって着用者にゴワ付き感を与えない寸法幅となっている。この吸収体１３は、形状及びポリマー保持等のため、必要に応じてクレープ紙等の、液透過性及び液保持性を有する包装シート１４によって包装することができる。吸収体１３の形状は、図示形態のように長方形状とする他、背側及び腹側に対して股間部の幅が狭い砂時計形状（括れ形状）とすることもできる。
【００２２】
吸収性本体１０の両側部には脚周りにフィットする立体ギャザーＢＳが形成されているのが好ましい。この立体ギャザーＢＳはギャザー不織布１５により形成される、ギャザー不織布としては、図５に示されるように、折返しによって二重シートとした不織布が好適に用いられ、液透過性表面シート１１によって巻き込まれた吸収体１３の側縁部をさらにその上側から巻き込んで吸収体１３の裏面側まで延在して接着されている。より具体的には、ギャザー不織布１５は、おむつ１の長手方向中間部では、立体ギャザーＢＳ形成部分を残し、幅方向中間部から吸収体１３の裏面側に亘る範囲がホットメルト接着剤等によって接着され、また長手方向前後端部では、幅方向中間部から一方側端縁までの区間が吸収体１３の裏面側に亘る範囲で接着されるとともに、立体ギャザーＢＳを形成する部分を吸収体１３の上面部にて折り畳むようにしながらホットメルト接着剤等により接着している。
【００２３】
二重シート不織布によって形成されたギャザー不織布１５の内部には、起立先端側部分に複数本の糸状弾性伸縮部材１６、１６…が配設されている。糸状弾性伸縮部材１６、１６…は、製品状態において図５に二点鎖線で示すように、弾性伸縮力により吸収体側縁部より突出する不織布部分を起立させて立体ギャザーＢＳを形成するためのものである。
【００２４】
液不透過性裏面側シート１２は、二重シート状のギャザー不織布１５の内部まで進入し、図６に示されるように、立体ギャザーＢＳの下端側において防漏壁を構成するようになっている。この液不透過性裏面側シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００２５】
糸状弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は７．０ｍｍ以下として配設するのがよい。なお、糸状弾性伸縮部材に代えて、ある程度の幅を有するテープ状弾性伸縮部材を用いるようにしてもよい。
【００２６】
前述のギャザー不織布１５を構成する素材繊維も液透過性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００２７】
（外装シートの構造例）
外装シートは、背側部Ｂから腹側中央部Ｆにかけて配される外装シート２０Ａと、腹側両側部の外装シート２０Ｂより成り、腹側中央部の両側端部と腹側両側部の中央側端部とが、好適にはシート２０Ｂが外側に来るように一部オーバーラップして（図中ＯＬ）、スライド部３０におけるスライド構造（後述）により一体化されている。外装シート２０Ａ，２０Ｂは、いずれも上層不織布２０ａ及び下層不織布２０ｂからなる２層構造の不織布シートとされ、上層不織布２０ａと下層不織布２０ｂとの間、及び下層不織布２０ｂをウエスト開口縁で内面側に折り返してなる折り返し部分２０ｃの不織布間に各種弾性部材が配設され、伸縮性が付与されている。
【００２８】
特に、図示形態の外装シートにおいては、弾性部材として、図４に示される展開形状において、ウエスト開口部周り２３に配置されたウエスト部弾性部材２４，２４…を有し、さらに背側部Ｂ及び腹側両側部に、上下方向に間隔をおいて水平方向に沿って配置された複数の腰周り弾性部材群２５，２５…とを有する。さらに、背側部Ｂにおいて、腰周り弾性部材群２５，２５…とは別に、腹側部Ｆと背側部Ｂとを接合する一方側接合縁から股下側に延び、股下側を迂回して腹側部分と背側部分との他方側接合縁に到達するとともに、互いに交差することなく間隔をおいて配置された複数本の湾曲弾性部材群２６…を備えている。なお、本外装シートでは、脚周りに沿って実質的に連続する、所謂脚周り弾性部材は設けられていない。図示例においては、腹側部に湾曲弾性部材群が配されていないが、腹側中央部から腹側両側部にかけて非連続的に湾曲弾性部材を配する構成としてもよい。
【００２９】
ウエスト部弾性部材２４，２４…は、腹側部Ｆと背側部Ｂとが接合された脇部接合縁２１、２２の範囲の内、ウエスト開口縁近傍に上下方向に間隔をおいて配設された複数条の糸ゴム状弾性部材であり、身体のウエスト部周りを締め付けるように伸縮力を与えることによりおむつを身体に装着するためのものである。このウエスト部弾性部材２４は、図示例では糸ゴムを用いたが、例えばテープ状の伸縮部材を用いてもよい。また、図示形態のウエスト部弾性部材２４，２４…は、ウエスト部における下層不織布２０ｂの折り返し部分２０ｃの不織布間に挟持されているが、上層不織布２０ａと下層不織布２０ｂとの間に挟持しても良い。
【００３０】
腰周り弾性部材群２５，２５…は、脇部接合縁２１、２２の内、概ね上部から下部までの範囲に亘り、上下方向に間隔をおいて水平方向に沿って配設された糸ゴム状の弾性部材であり、腹側部側部及び背側部の腰周り部分に夫々水平方向の伸縮力を与え、おむつを身体に密着させるためのものである。なお、背側部において、ウエスト部弾性部材２４、２４…と腰周り弾性部材群２５、２５…との境界は必ずしも明確でなくてよい。例えば、腹側部Ｆ及び背側部Ｂに上下方向に間隔をおいて水平方向に配置された弾性部材の内、数は特定できなくても、上部側の何本かがウエスト部弾性部材として機能し、残りの弾性部材が腰周り弾性部材として機能していればよい。
【００３１】
背側部Ｂにおいて、腰周り弾性部材群２５，２５…とは別に配設された背側湾曲弾性部材群２６、２６…は、所定の（一方側の脇部接合縁２２からほぼ脚周りカットライン２９に沿って股下部に至り、股下部を横切った後に反対側の脚周りカットライン２９にほぼ沿いながら他方側の脇部接合縁２２に到達する）曲線に沿って配置された複数本、図示例では９本の糸ゴム状弾性部材であり、これら背側湾曲弾性部材群２６、２６…は互いに交差することなく、間隔をおいて配置されている。この背側湾曲弾性部材群２６、２６…は、２，３本程度の弾性伸縮部材を間隔を密にして実質的に一束として配置されるのではなく、所定の伸縮ゾーンを形成するように所定の間隔を空けて、３以上、好ましくは５本以上配置される。
【００３２】
また、上記形態例では、背側部Ｂに配置された腰周り弾性部材群２５，２５…及び湾曲弾性部材２６…は、吸収性本体１０を横切る部分を切断し、不連続としているが、吸収性本体１０上においても連続させて配置することもできる。弾性部材を吸収性本体１０上で不連続とすることにより、吸収体１３の縮こまりをより防止することができる。湾曲弾性部材２６…を吸収性本体１０上で切断し不連続化するには、特開２００２−３５０２９号公報、特開２００２−１７８４２８号公報及び特開２００２−２７３８０８号公報に記載される切断方法が好適に採用される。
【００３３】
（スライド構造）
外装シート２０Ａと２０Ｂのオーバーラップ部分ＯＬは、外装シート２０Ａの外側及び外装シート２０Ｂの内側に、オーバーラップ部分を上下方向に縦断するようにスライド部３０Ａ、３０Ｂを有する。スライド部の構造を図９〜１１に示す。スライド部３０は、図９〜１１に示すような凹状（図１０（Ａ））及び凸状（図１０（Ｂ））のレール構造を有し、図１１に示すように、凹状のレール３１Ａと凸状のレール３１Ｂは互いに咬み合う構造となっている。図示例の凸状レール３１Ｂは、略円形の断面となっているが、断面形状は、フック状、多角形状等、凹状レール３１Ａと咬み合う構造であれば特に限定されない。また、図示例では凹状レール３１Ａ、凸状レール３１Ｂはともにスライド部の長さ方向全域にわたって配されているが、どちらか一方のみは間欠的であってもよい。また、図示例ではスライド部３０Ａに凹状のレール、スライド部３０Ｂに凸状のレールが配されているが、それぞれ逆としてもよい。また、スライド部のレール構造は一組には限られず、互いに咬み合う二組以上のレール構造を平行に配してもよい。
【００３４】
スライド部３０Ａ，３０Ｂは、合成樹脂により形成されていることが好ましく、また、レール構造のみでなく、図９に示すように、レール構造を含む一定の範囲を占めるフィルム状構造とし、ポリエチレン、ポリプロピレン等より成る可撓性の樹脂フィルムとすることが好ましい。このような構造とすることで、互いに咬み合うレール構造を互いに上下方向にずらす（スライドする）際に、レール周辺の摩擦を軽減し、スムーズなスライドを可能とする。スライド部３０Ａ，３０Ｂを構成するフィルム状の部材は、それぞれ、ホットメルト接着剤Ｇ等により、外装シート２０Ａ，２０Ｂに固定される。
【００３５】
スライド部３０Ａ，３０Ｂの上端部及び下端部には、それぞれ着脱可能な係止部３２Ａ、３２Ｂを有する。係止部において、スライド部３０Ａとスライド部３０Ｂは互いに対向した状態で固定され、輸送時、着用時に意図しない上下方向のずれを生じない構造となっている。また、スライド時に腹側中央部上端がスライド部下端より脱落し、おむつが展開状態となるのを防ぐ。係止部３２Ａ，３２Ｂは、上記のずり落ち防止、脱落防止が可能であれば、その形態は限定されないが、フックテープとループテープを好適に使用できる。なお、図示例では、スライド部Ａにフックテープ３２Ａを配し、スライド部Ｂにループテープ３２Ｂを配しているが、それぞれ逆としてもよい。係止部３２Ａ，３２Ｂは、レールより中央側、側端側何れに配してもよいが、外装シート２０Ｂ端部の浮き上がりによる剥がれが生じにくいことから、側端側へ配することが好ましい。
【００３６】
着用状態のおむつ１の状態を、図７に、おむつの腹側中央部を下方向にスライドさせた状態を図８に示す。スライド時には、係止部３２Ａと３２Ｂを剥がし、腹側中央部を下方向に引っ張り、スライド移動させる。腹側中央部が下方向に移動することにより、脚周り開口３３が大きく拡がり、この開口を介して吸収パッドの交換をすることが可能となる。
【００３７】
（他の形態）
本発明は、パンツ型おむつに限らず、図１２のようにテープ式のおむつ４０にも使用できる。テープ式おむつにスライド部３０を配する場合は、図示例のようにテープ止着部４１より側端側の、外側部材に配することが好ましい。止着部４１を剥離することで、スライド部３０は腹側の側端側部材と共に中央部の部材より分離され、おむつを展開状態とすることができる。
【符号の説明】
【００３８】
１…パンツ型使い捨ておむつ、１０…吸収性本体、１１…液透過性表面シート、１２…液不透過性裏面側シート、１３…吸収体、１４…包装シート、１５…ギャザー不織布、１６…糸状弾性伸縮部材、２０…外装シート、２１，２２…脇部接合縁、２４…ウエスト部弾性部材、２５…腰周り弾性部材、２６…湾曲弾性部材、２９…脚周りカットライン、３０…スライド部、３１Ａ，３１Ｂ…レール、３２Ａ…フックテープ、３２Ｂ…ループテープ、３３…脚周り開口部、４０…テープ式使い捨ておむつ、４１…テープ止着部。
【図１】
0005681406.tif 000002
【図２】
0005681406.tif 000003
【図３】
0005681406.tif 000004
【図４】
0005681406.tif 000005
【図５】
0005681406.tif 000006
【図６】
0005681406.tif 000007
【図７】
0005681406.tif 000008
【図８】
0005681406.tif 000009
【図９】
0005681406.tif 000010
【図１０】
0005681406.tif 000011
【図１１】
0005681406.tif 000012
【図１２】
0005681406.tif 000013